(57)【特許請求の範囲】
【請求項１】
天井材又はスプリンクラヘッドに取り付け可能に構成されると共に、開口部を有するアダプタと、該アダプタの開口を覆うカバー体と、一端側が前記カバー体に低融点金属で接着される複数の固定金具とを備えたスプリンクラヘッドカバーにおいて、
前記アダプタは、該開口部の周縁部に下方に傾斜する係止部と、該係止部に隣接する部分に設けられた切欠部とを有し、
前記固定金具は、他端側に前記アダプタの係止部に係合する傾斜した係合部となる斜め片を有し、
前記アダプタを前記カバー体に押しつけて、前記固定金具の斜め片を前記切欠部を通過させた状態で、前記アダプタを回転させて、前記固定金具の係合部を前記アダプタの係止部に係合させて前記カバー体を前記アダプタに取り付け、
前記カバー体の周縁部に、前記カバー体を下方に付勢する付勢手段を設けたことを特徴とするスプリンクラへッドカバー。
【請求項２】
前記固定金具は前記カバー体の周縁部に周方向等間隔に３箇所設置され、該固定金具のうちの隣り合うもの同士の中間位置に前記付勢手段を設けたことを特徴とする請求項１記載のスプリンクラへッドカバー。
【請求項３】
前記アダプタの下端外周部の３箇所には周方向に前記切欠部が設けられ、前記アダプタの下端外周部における切欠部以外の部分は水平方向に折曲されたフランジ部が形成されることを特徴とする請求項２記載のスプリンクラヘッドカバー。
【発明の詳細な説明】
【０００１】
【発明の属する技術分野】
本発明は天井面におけるスプリンクラヘッド設置部の開口を塞ぐと共に、スプリンクラヘッドを外的衝撃から守るスプリンクラヘッドカバーに関する。
【０００２】
【従来の技術】
天井面に取り付けられたスプリンクラヘッドが外的衝撃を受けて暴発するのを防止すると共に、スプリンクラヘッド取付部の隙間を塞いで意匠的にもよくするためのスプリンクラヘッドカバーが例えば実公平７−３７６３８号公報に提案されている。図１３は同公報に提案されたスプリンクラヘッド用ガード（同公報に言う「スプリンクラヘッド用ガード」は、本明細書に言うところのスプリンクラヘッドカバーに相当するものである。）を取り付けた状態の説明図、図１４はスプリンクラヘッド用ガードの分解斜視図である。
【０００３】
ガードは、取り付け体３１、バネ材３２、蓋部材３３および低融点合金３４から構成されている。取り付け体３１は円環状であり、周囲に複数の突出部３５が形成され，その中に木ネジを通すことのできる穴３６が穿設されている。該取り付け体３１にはＬ字形の複数の脚３７が設置されている。脚３７は低融点合金３４が半田付けできるような材料からできている。該低融点合金３４はスプリンクラーヘッドの作動温度よりも低い融点をもつようなものにする。
【０００４】
バネ材３２は前述した取り付け体３１と略同一大の皿バネであり、取り付け体３１の脚３７と一致するところには切欠３８が形成されている。
蓋部材３３は凹状となっており、上部周囲には取り付け体３１と略同一大のフランジ３９が形成されている。該フランジ３９は取り付け体３１の脚３７と低融点合金３４で接合するため、半田付けできる材料でなければならない。また、蓋部材の周囲には複数の開口４０が設けられている。
【０００５】
ガードの組立は、バネ材３２の切欠３８に取り付け体３１の脚３７を入れ，蓋部材３３のフランジ３９上に脚３７を置いてから、脚３７とフランジ３９とを低融点合金３４で接着する。このようにして組立てられたガードは、スプリンクラーヘッド５５が取り付けられた天井５０の穴５３と略同芯にして取り付ける。該取り付けは、取り付け体３１の穴３６に木ネジ４４を通して天井５０に直接取り付ける。
【０００６】
次に上記のように構成された従来のガードの作動について説明する。火災が発生するとガードが熱せられ、取り付け体３１と蓋部材３３を接着していた低融点合金３４が溶ける。この時、蓋部材３３に蓋部材３３を落下させるようなバネカが作用しているため蓋部材３３の自重に加えてバネカで蓋部材３３が完全に落下する。
【０００７】
【発明が解決しようとする課題】
しかしながら、上記の実公平７−３７６３８号公報に開示されたスプリンクラヘッド用ガードの場合には、低融点合金３４が火災の熱で溶けることによって蓋部材３３が取り付け体３１から外れる構造であるため、原則として４箇所の低融点合金３４の全てが溶解しなければ、蓋部材３３が取り付け体３１から外れない。このため、スプリンクラヘッドが作動するまでに長時間を要するという問題がある。
【０００８】
なお、４箇所の接着を比較的弱くしておき、４箇所のうちのいずれか１箇所が外れれば他の３箇所はバネ材３２の付勢力に抗しきれずに、蓋部材３３が外れるようにすることも考えられるが、そのような構成にすると、蓋部材３３の取付が不安定となり、長期間に亘る径年変化あるいは取付前の輸送中の振動等により接着部が外れてしまうことが考えられ、信頼性のある構造とは言えなくなってしまう。
【０００９】
本発明はかかる課題を解決するためになされたものであり、通常時には簡単に外れることはなく、火災の際には確実に作動するスプリンクラヘッドカバーを提供することを目的としている。
【００１０】
【課題を解決するための手段】
本発明に係るスプリンクラヘットカバーは、天井材又はスプリンクラヘッドに取り付け可能に構成されると共に、開口部を有するアダプタと、該アダプタの開口を覆うカバー体と、一端側が前記カバー体に低融点金属で接着される複数の固定金具とを備えたスプリンクラヘッドカバーにおいて、前記アダプタは、該開口部の周縁部に下方に傾斜する係止部と、該係止部に隣接する部分に設けられた切欠部とを有し、前記固定金具は、他端側に前記アダプタの係止部に係合する傾斜した係合部となる斜め片を有し、前記アダプタを前記カバー体に押しつけて、前記固定金具の斜め片を前記切欠部を通過させた状態で、前記アダプタを回転させて、前記固定金具の係合部を前記アダプタの係止部に係合させて前記カバー体を前記アダプタに取り付け、前記カバー体の周縁部に、前記カバー体を下方に付勢する付勢手段を設けたものである。
【００１１】
また、前記固定金具は前記カバー体の周縁部に周方向等間隔に３箇所設置され、該固定金具のうちの隣り合うもの同士の中間位置に前記付勢手段を設けたものである。
【００１２】
さらに、前記アダプタの下端外周部の３箇所には周方向に前記切欠部が設けられ、前記アダプタの下端外周部における切欠部以外の部分は水平方向に折曲されたフランジ部が形成されている。
【００１４】
【発明の実施の形態】
図１は本発明の一実施の形態のスプリンクラヘッドカバーの設置状態における側面断面図である。図１に基づいて本実施の形態を説明する。
図において、５０は天井板であり、スプリンクラヘッド設置用の開口５３が設けられている。５５は開口５３に臨ませて設置されたスプリンクラヘッド、１は開口５３を塞ぐように設置されてスプリンクラヘッドカバーであり、スプリンクラヘッド５５に固定された例えば樹脂製のアダプタ３、開口５３の下方に設置されて開口５３を塞ぐカバー体１０、カバー体１０に取り付けられてカバー体１０をアダプタ３に保持させる固定金具１５、アダプタ３とカバー体１０との間に設置されてカバー体１０を下方に付勢する弦巻バネ１７とから構成されている。以下、スプリンクラヘッドカバー１の各構成部分について説明する。
【００１５】
アダプタ３は下端側が末広がりに形成され、両端が開口した筒状をしており、その上端側にはスリーブ部１１が形成されている。そして、スリーブ部にスプリンクラへッド５５が挿入されることにより、アダプタ３はスプリンクラヘッド５５に固定されている。
スリーブ１１は、環状壁を備えた円筒状に形成され、その環状壁には例えば上端が開口したスリットが複数設けられる。スリーブ１１をこのように構成することで、スリーブ１１は上端側がある程度開くように形成され、スプリンクラヘッド５５への取り付けが容易になる。
【００１６】
図２はアダプタ３の平面図である。以下、図２及び図１に基づいてアダプタの形状を説明する。アダプタ３の下端外周部の３箇所には周方向に所定長さを有する第１切欠部４が設けられており、各第１切欠部４の一方の端にはさらに深い第２切欠部５が形成されている。そして、第１切欠部４における第２切欠部５に隣接する部分は下方に傾斜する係止部６が形成されている。
また、アダプタ３の下端外周部における第１切欠部４以外の部分は水平方向に折曲されたフランジ部７が形成されている。
【００１７】
カバー体１０は円形の有底枠体状に形成されており、図３に示すように、その内面側の周縁部には周方向等間隔に３個の固定金具１５が半田によって取り付けられ、また３個の固定金具のうちの隣り合うもの同士の中間位置に弦巻バネ１７が配置されている。
なおカバー体１０の環状壁に、熱気流を通すための複数の通気穴を設けてもよい。
【００１８】
固定金具１５はアダプタ３とカバー体１０との間に設置されてカバー体１０をアダプタ３に保持させる機能を有するものである。
固定金具１５は、図４の斜視図に示すように、板材を折曲して断面略Ｌ字状に形成されたものであり、水平片１５ａと、該水平片１５ａに連続して垂直方向に折曲形成された垂直片１５ｂと、垂直片１５ｂに連続して斜め方向に折曲形成された斜め片１５ｃの３つの片から構成されている。
固定金具１５は、図１及び図３に示すように、開口側をカバー体１０の中心に向けて、水平片１５a を半田付けすることによってカバー体１０に取り付けられている。
弦巻バネ１７は前述したように各固定金具１５の間に一個ずつ合計３個が設置されている。
【００１９】
図５及び図６は図１におけるＡ方向から見た図である。以下、図５及び図６に基づいてスプリンクラヘッドカバー１の組立方法を説明する。
まず、図３に示すように固定金具及１５び弦巻バネ１７が設置されたカバー体１０の内側に、アダプタ３の下端の開口部を対向配置させる。このとき、アダプタ３の各第２切欠部５の位置と各固定金具１５の位置とが対向するようにする。この状態で、アダプタ３をカバー体１０に押しつけるようにすると、弦巻バネ１７がアダプタ３のフランジ部７によって押し縮められる。このとき、固定金具１５の斜め片１５ｃが第２切欠部５を通過してアダプタ３の係止部６よりも上側に突出するまでアダプタ３をカバー体１０に押しつける。
【００２０】
この状態で、図５に示すようにアダプタ３を矢印の方向に回転させると、係止部６が固定金具１５の斜め片１５ｃの下側を通過する。そして、図６に示すように、アダプタ３のフランジ７の第１切欠部４の側端部が固定金具１５に当接するまで回転させ、この状態でアダプタ３を押圧するのをやめる。すると、アダプタ３は弦巻バネ１７により、カバー体１０から引き離す方向に力を受けるが、固定金具１５の斜め片１５ｃとアダプタ３の係止部６とが係止してカバー体１０はアダプタ３に保持されることになる。
なお、これとは逆に、天井に設置されたスプリンクラヘッド５５にまずアダプタ３を取り付け、その後、アダプタ３にカバー体１０を押しつけて、両者を取り付けるようにしてもよい。
【００２１】
図７はカバー体１０をアダプタ３に保持させた状態における、カバー体１０（固定金具１５）に働く力の関係を説明する説明図である。固定金具１５はアダプタ３から斜め上方向きの力Ｒを受けるが、固定金具１５とカバー体１０は一体化されているので、力Ｒはカバー体１０が受ける力と同視できる。また、カバー体１０は弦巻バネ１７から下向きの力Ｓを受ける。ここで力Ｒを水平方向の分力Ｒ１と垂直方向の分力Ｒ２に分解すると、垂直方向の分力Ｒ２と力Ｓとが釣り合っている。また、水平方向の分力Ｒ１は図８に示すように、３個の固定金具１５に作用する３力で釣り合い状態にある。
【００２２】
図９乃至図１２は本実施の形態の動作を説明する説明図であり、図９乃至図１１は一部断面を含む側面図（各図における（ａ）図）と、平面図（各図における（ｂ）図）から構成されている。図９乃至図１２に基づいて動作を説明する。
図９に示す監視状態から、火災時の熱によって図中左端の固定金具１５を接着している半田が溶け始めると、図１０に示すように、固定金具１５の斜め片１５ｃがアダプタ３の係止部６に押されて傾き、さらに傾くと図１１に示すように斜め片１５ｃと係止部６の係合が外れる。
【００２３】
このように、一つの固定金具１５の斜め片１５ｃと係止部６の係合が外れると、図８に示した水平方向の３つの分力Ｒ１のバランスが崩れ、カバー体１０には係合状態にあるアダプタ３の係止部６から受ける２つの分力Ｒ１を合わせた図中右方向の水平力を受けることになる。カバー体１０はこの水平力によって図中右方向にすべり、このため他の２個の固定金具１５とアダプタ３の係止部６との係合も外れることになる。これによって、図１２に示すように、カバー体１０はアダプタ３から完全に外れて下方に落下する。この場合、本実施の形態においてはアダプタ３を樹脂製にしたので、金属の場合に比較して熱伝導性が悪く、火災の熱がアダプタ３に奪われることが少なくなるので、スプリンクラヘッド５５の作動遅れを防止できる。
【００２４】
そして、カバー体１０が落下した後は、スプリンクラヘッド５５が火災の熱によって作動することになる。
【００２５】
なお、上記の実施の形態においては付勢手段として弦巻バネ１７を用いた例を示したが、本発明の付勢手段はこれに限られるものではなく、板バネや皿バネ等であってもよい。
また、固定金具１５を３個用いた例を示したが、これに限られるものではなく、２個であってもあるいは４個以上であってもよい。ただ、１個の固定金具１５とアダプタ３との係合が外れたときに、カバー体１０に水平方向の力が加えられ、この力を受けたカバー体１０が滑って固定金具１５とアダプタ３との係合が外れるような構成であればよい。また、アダプタはスプリンクラヘッドに取り付けられるものを例示したが、天井材に取り付けられるものであっても構わない。
【００２６】
本実施形態のスプリンクラヘッドカバーは、カバー体とアダプタが半田などによって接着されてなく、いつでも両者を取り外せるような係止状態にある。このためスプリンクラヘッドにカバー体を取り付けた後に、カバー体が不要になりカバー体の取り外し作業を行う必要が生じた場合に簡単にその取り外し作業を行うことができる。
またカバー体を取り外すには、回転させてから、下方に引かない限りは取り外せない構造となっているので、通常時に、物などがあたっても、カバー体が外れたりすることはない。
【００２７】
【発明の効果】
以上詳細に説明したように、本発明においては、アダプタは、該開口部の周縁部に下方に傾斜する係止部と、該係止部に隣接する部分に設けられた切欠部とを有し、固定金具は、他端側にアダプタの係止部に係合する傾斜した係合部となる斜め片を有し、アダプタをカバー体に押しつけて、固定金具の斜め片を前記切欠部を通過させた状態で、アダプタを回転させて、固定金具の係合部をアダプタの係止部に係合させてカバー体をアダプタに取り付けたので、カバー体をアダプタに保持させることができ、また１個の固定金具が火災の熱によりカバー体から外れれば、カバー体はその自重により滑り落ちることができ、確実にカバー体を外すことができる。
また、カバー体の周縁部に、カバー体を下方に付勢する付勢手段を設けることにより、１個の固定金具が火災の熱によりカバー体から外れ、１個の固定金具とアダプタとの係合が外れたときにカバー体に水平方向の力が作用し、この力を受けたカバー体が滑り固定金具とアダプタとの係合が外れるようにしたので、１個の固定金具が外れると確実にカバー体を外すことができる。
【図面の簡単な説明】
【図１】本発明の一実施の形態のスプリンクラヘッドカバーの設置状態における側面断面である。
【図２】本発明の一実施の形態におけるアダプタの平面図である。
【図３】本発明の一実施の形態におけるカバー体の平面図である。
【図４】本発明の一実施の形態における固定金具の斜視図である。
【図５】本発明の一実施の形態のスプリンクラヘッドカバーの組立方法の説明図である。
【図６】本発明の一実施の形態のスプリンクラヘッドカバーの組立方法の説明図である。
【図７】本発明の一実施の形態におけるカバー体に作用する力の説明図である。
【図８】本発明の一実施の形態におけるカバー体に作用する力の説明図である。
【図９】本発明の一実施の形態のスプリンクラヘッドカバーの作動の説明図である。
【図１０】本発明の一実施の形態のスプリンクラヘッドカバーの作動の説明図である。
【図１１】本発明の一実施の形態のスプリンクラヘッドカバーの作動の説明図である。
【図１２】本発明の一実施の形態のスプリンクラヘッドカバーの作動の説明図である。
【図１３】従来のスプリンクラヘッド用ガードの説明図である。
【図１４】従来のスプリンクラヘッド用ガードの分解斜視図である。
【符号の説明】
１  スプリンクラヘッドカバー
３  アダプタ
１０  カバー体
１５  固定金具
１７  弦巻バネ
５５  スプリンクラヘッド
【図１】
0003882865.tif 000002
【図２】
0003882865.tif 000003
【図３】
0003882865.tif 000004
【図４】
0003882865.tif 000005
【図５】
0003882865.tif 000006
【図６】
0003882865.tif 000007
【図７】
0003882865.tif 000008
【図８】
0003882865.tif 000009
【図９】
0003882865.tif 000010
【図１０】
0003882865.tif 000011
【図１１】
0003882865.tif 000012
【図１２】
0003882865.tif 000013
【図１３】
0003882865.tif 000014
【図１４】
0003882865.tif 000015